(57)【要約】      （修正有）【課題】ホースガイドを備えていても、前傾扉の開閉に必要な力が大きくならないようにできる消火栓装置を提供する。【解決手段】筐体２内部のホース収納部５に消火用ホース４が内巻きに収納され、前記筐体２の前面に設けられた前傾扉３が開かれて、前記消火用ホース４が引き出されるように構成された消火栓装置１において、前記消火用ホース４が挿通される挿通部７ａを有するホースガイド７であって、前記筐体２と前記前傾扉３とに係止されたホースガイド７を設けたことを特徴とする。【選択図】図１
2011212074.tif 000002
【特許請求の範囲】
【請求項１】
筐体内部のホース収納部に消火用ホースが内巻きに収納され、前記筐体の前面に設けられた前傾扉が開かれて、前記消火用ホースが引き出されるように構成された消火栓装置において、
前記消火用ホースが挿通される挿通部を有するホースガイドであって、前記筐体と前記前傾扉とに係止されたホースガイドを設けたことを特徴とする消火栓装置。
【請求項２】
前記ホースガイドは、折り畳み可能であり、前記前傾扉が閉じられることにより折り畳まれた状態となり、前記前傾扉が開かれることにより伸ばされた状態となるよう構成されており、また、前記ホースガイドは、前記前傾扉が開かれて、伸ばされた状態にある時、前記前傾扉の開度を保持する手段を構成することを特徴とする請求項１に記載の消火栓装置。
【請求項３】
前記ホースガイドは、少なくとも一部が柔軟な部材によって形成されていることを特徴とする請求項１又は２に記載の消火栓装置。
【請求項４】
前記ホースガイドは取り外し可能であり、また、前記ホースガイドは前記挿通部を上下方向に非対称の位置に有することを特徴とする請求項１乃至３の何れかに記載の消火栓装置。
【請求項５】
前記ホースガイドは、前記筐体と前記前傾扉との間に位置し、一方の端部側が前記筐体に係止され、他方の端部側が前記前傾扉に係止される２本の接続体と、前記２本の接続体の間に設けられ、前記２本の接続体を連結すると共に、前記挿通部を形成する２本の連結体とを含み、また、前記ホースガイドは前記２本の連結体の少なくとも一方が移動可能に設けられていることを特徴とする請求項１乃至３の何れかに記載の消火栓装置。
【発明の詳細な説明】
【技術分野】
【０００１】
この発明は、消火栓装置に関し、より詳細には消火用ホースが装置内に内巻きに収納される消火栓装置に関する。
【背景技術】
【０００２】
例えば、トンネル等に設置される消火栓装置は、先端にノズルを有する消火用ホースを備えているが、一般に、消火用ホースは、常時は装置内部に巻き付けられた状態で収納されており、火災時に装置外部に引き出されて消火に用いられるようになっている。
【０００３】
この種の消火栓装置において、消火用ホースが装置内部に内巻きに巻き付けられて収納される所謂内巻き式の消火栓装置がある。
【０００４】
内巻き式の消火栓装置は、装置内部にホース収納部を備え、そのホース収納部内に外側から中心側に向けて順次消火用ホースを巻き付けて収納できるようになっており、そのホース収納部には、消火用ホースをホース収納部から引き出すことができるように、また消火用ホースをホース収納部に収納することができるように、前部に開口部が設けられている。
【０００５】
一般に、内巻き式の消火栓装置には、消火用ホースを消火水が供給された状態で引き出す際に、消火用ホースがその重みや消火水の圧力等によって強い勢いでホース収納部から出てくるために、必要以上にホース収納部から外部に出てしまうという問題がある。
【０００６】
そこで、例えば、特開２００３−３８６７５号公報（特許文献１）に記載の消火栓装置のように、装置筐体の前面を傾動して開閉する前傾扉の内側に消火用ホースが挿通されるホースガイドを取り付け、そのホースガイドに消火用ホースを接触させて、消火用ホースに摩擦抵抗を与え、それにより消火用ホースが必要以上に出てこないようにしたものがある。
【先行技術文献】
【特許文献】
【０００７】
【特許文献１】特開２００３−３８６７５号公報
【発明の概要】
【発明が解決しようとする課題】
【０００８】
しかしながら、前傾扉にホースガイドが取り付けられれば、その分前傾扉の重量は増えることになるので、従来の消火栓装置は、ホースガイドを備えていることで、その分前傾扉の開閉に必要な力が大きくなっていた。
【０００９】
また、従来の消火栓装置において、ホースガイドは消火用ホースが必要以上に出てこないようにするための専用の部材であった。
【００１０】
この発明は、前記の事情に鑑み、必要以上に消火用ホースがホース収納部から出てこないようにすることができるホースガイドを備えていても、前傾扉の開閉に必要な力が大きくならないようにできる消火栓装置を提供することを目的とする。
【００１１】
また、この発明は、前記の事情に鑑み、ホースガイドと前傾扉の保持手段とを兼用化して、安価に製造できる消火栓装置を提供することを目的とする。
【課題を解決するための手段】
【００１２】
この発明は、筐体内部のホース収納部に消火用ホースが内巻きに収納され、前記筐体の前面に設けられた前傾扉が開かれて、前記消火用ホースが引き出されるように構成された消火栓装置において、前記消火用ホースが挿通される挿通部を有するホースガイドであって、前記筐体と前記前傾扉とに係止されたホースガイドを設けたことを特徴とする消火栓装置である。
【００１３】
また、この発明は、前記ホースガイドは、折り畳み可能であり、前記前傾扉が閉じられることにより折り畳まれた状態となり、前記前傾扉が開かれることにより伸ばされた状態となるよう構成されており、そして、前記ホースガイドは、前記前傾扉が開かれて、伸ばされた状態にある時、前記前傾扉の開度を保持する手段を構成することを特徴とする消火栓装置である。
【００１４】
また、この発明は、前記ホースガイドは、少なくとも一部が柔軟な部材によって形成されていることを特徴とする消火栓装置である。
【００１５】
また、この発明は、前記ホースガイドは取り外し可能であり、そして、前記ホースガイドは前記挿通部を上下方向に非対称の位置に有することを特徴とする消火栓装置である。
【００１６】
また、この発明は、前記ホースガイドは、前記筐体と前記前傾扉との間に位置し、一方の端部側が前記筐体に係止され、他方の端部側が前記前傾扉に係止される２本の接続体と、前記２本の接続体の間に設けられ、前記２本の接続体を連結すると共に、前記挿通部を形成する２本の連結体とを含み、そして、前記前記ホースガイドは前記２本の連結体の少なくもと一方が移動可能に設けられていることを特徴とする消火栓装置である。
【発明の効果】
【００１７】
この発明によれば、ホースガイドが筐体と前傾扉とに係止されていることで、ホースガイドの重量は筐体にかかり、前傾扉にはかからないようにすることができ、消火用ホースが挿通される挿通部を有し、ホース収納部から出てくる消火用ホースに摩擦抵抗を与えることができるホースガイドを備えていながら、前傾扉の重量が増えないようにすることができる。
【００１８】
従って、この発明によれば、必要以上に消火用ホースがホース収納部から出てこないようにすることができるホースガイドを備えていても、前傾扉の開閉に必要な力が大きくならないようにすることができる。
【００１９】
また、この発明によれば、ホースガイドを前傾扉の開度を保持する手段を構成するものとすれば、ホースガイドと前傾扉の保持手段とを兼用化して、前傾扉の開度を保持することができ、それにより、別途、前傾扉の開度を保持する手段を備える必要をないため、安価に消火栓装置を製造できるようにすることができる。
【００２０】
また、この発明によれば、ホースガイドを少なくとも一部が柔軟な部材により形成されたものとすれば、折り畳み機構を設けなくとも、折り畳み可能とすることができ、さらに、ホースガイドに当たる部分を支点として消火用ホースが折れ曲がるような方向に引っ張られて、ホースガイドに強く押し付けられたとしても、ホースガイドが変形して、消火用ホースが強く押し付けられる力を吸収し、消火用ホースに加わる力を軽減することができ、そこで消火用ホースが折れ曲がるのを防ぐようにすることができる。
【００２１】
また、この発明によれば、筐体及び前傾扉に対して、ホースガイドを取り外し可能とし、ホースガイドが挿通部を上下方向に非対称の位置に有するものとすれば、ホースガイドをその上下を逆にして、挿通部を下方に位置させたり、逆に上方に位置させたりすることができ、例えば、消火用ホースの引き出し時には、挿通部を下方に位置させて、消火用ホースの重量を利用して、消火用ホースを引き出し易くし、消火用ホースの収納時には、挿通部を上方に位置させて、消火用ホースの重量を利用して、消火用ホースをホース収納部に収納し易くしたりすることができる。
【００２２】
また、この発明によれば、ホースガイドの挿通部を形成する２本の連結体の少なくとも一方を移動可能なものとすれば、一方の連結体を移動可能とした場合は、挿通部の開度（内側面積）を変更可能とすることができ、両方の連結体を移動可能とした場合は、挿通部の開度を変更可能とすることができるのに加えて、その位置を変更可能とすることができ、例えば、前記と同様に、消火用ホースの引き出し時には、挿通部を下方に位置させて、消火用ホースの重量を利用して、消火用ホースを引き出し易くし、消火用ホースの収納時には、挿通部を上方に位置させて、消火用ホースの重量を利用して、消火用ホースをホース収納部に収納し易くしたりすることができる。
【図面の簡単な説明】
【００２３】
【図１】この発明の消火栓装置の実施形態を示し、前傾扉を開いた状態における全体の斜視図である。
【図２】同上の実施形態を示し、ホースガイドの挿通部を上方に位置させた状態における図１に相当する図である。
【図３】他の実施形態を示し、図１に相当する図である。
【図４】さらに他の実施形態を示し、（ａ）及び（ｂ）何れも、ホースガイドの斜視図である。
【発明を実施するための形態】
【００２４】
この発明の実施の形態を図１乃至４に基づき説明する。
【００２５】
消火栓装置１は、例えば道路のトンネル等に設置されるものである。また、この消火栓装置１は、先端にノズル４ａを有する消火用ホース４が内巻きに収納される所謂内巻き式のものである。
【００２６】
図１に示すように、消火栓装置１は、筐体２内に、先端にノズル４ａを有する消火用ホース４が内巻きに収納されるホース収納部５を備えており、また、図示は省略するが、消火用ホース４に消火水を供給するための消火栓弁や配管等も備えている。筐体２の前部には開口２ａが設けられており、開口２ａは前傾扉３によって開閉可能になっている。前傾扉３の内側３ａには消火栓弁の操作レバー６が設けられており、操作レバー６を開操作すれば、消火水が消火用ホース４に供給され、ノズル４ａから放出されるようになっている。なお、消火を行う際には、ノズル４ａを持った状態で操作レバー６を開操作して、消火栓弁を開いて消火水を消火用ホース４に供給した後、火災発生場所までノズル４ａを引っ張って行き消火を行う。
【００２７】
ホース収納部５は前部に開口部５ａを有しており、開口部５ａから消火用ホース４を外部に引き出したり、内部に収納したりすることができるようになっている。
【００２８】
そして、消火栓装置１には、消火用ホース４が挿通される挿通部７ａを有するホースガイド７であって、筐体２と前傾扉３とに係止されたホースガイド７が設けられている。
【００２９】
ここで、消火の際、消火用ホース４は、ホース収納部から引き出さないときには、消火水の圧力によって、消火用ホース４の内巻き径が広がるように真っ直ぐ伸びようとするため、ホース収納部５の壁に押し当てられて静止している。しかし、消火用ホース４を引き出すために、消火用ホース４にホース収納部５の内部から開口部５ａに向かう力を少しでも与えると、消火用ホース４は、消火水の圧力によって、ホース収納部５の内部から開口部５ａに向かって真っ直ぐ伸びようとして、引き出した以上に開口部５ａから飛び出してしまう。ところが、消火栓装置１は、ホースガイド７が消火用ホース４が挿通される挿通部７ａを有していることで、消火用ホース４の引き出し時に、消火用ホース４がホースガイド７に接触し、摩擦抵抗が与えられることで、消火用ホース４が必要以上にホース収納部５から出てしまうのを防ぐことができるようになっている。また、ホースガイド７が筐体２と前傾扉３とに係止されていることで、ホースガイド７の重量が筐体２にかかり、前傾扉３にはかからないようになっており、ホースガイド７を備えていながら、前傾扉３の重量が増えず、前傾扉３の開閉に必要な力が大きくなることがないようになっている。
【００３０】
具体的には、ホースガイド７は、筐体２と前傾扉３との間に位置し、一方の端部７ｂが筐体２の前面２ｂに係止され、他方の端部７ｃが前傾扉３の内側３ａに係止される２本の接続体７ｄと、それら２本の接続体７ｄの間に設けられ、２本の接続体７ｄを横方向に連結すると共に、挿通部７ａを形成する２本の連結体７ｅとを備えている。つまり、図１乃至図３の例では、ホースガイド７は略梯子状を成している。
【００３１】
また、本実施の形態において、ホースガイド７は、金属製等の硬い部材によって形成されたものとなっているが、２本の接続体７ｄのそれぞれには折り畳み機構部７ｆが設けられ、その機構部７ｆを支点として、上下方向に折り畳み可能となっており、また、前傾扉３が閉じられることにより折り畳まれた状態で収納され、前傾扉３が開かれることにより伸ばされた状態を保てるようになっている。
【００３２】
また、ホースガイド７は、筐体２と前傾扉３とに係止されたものとなっていることで、前傾扉３を所定の開度で保持する手段としても利用することができる。本実施の形態において、ホースガイド７は、前傾扉３が開かれて、伸ばされた状態にある時、前傾扉３の開度を保持することができるようになっており、その手段を構成するものとなっている。
【００３３】
消火栓装置１において、ホースガイド７は、消火用ホース４が必要以上に出てしまうのを防ぐ用途を有するものであるが、前記のように、前傾扉３の開度を保持する用途も有するものとすることができ、別途、前傾扉３の開度を保持する手段を備える必要がない。即ち、ホースガイド７と前傾扉３の保持手段とを兼用化して、部材数を少なくすることができ、製造を安価にできるようにすることができるものとなっている。
【００３４】
さらに、ホースガイド７は、筐体２及び前傾扉３から取り外し可能になっており、また、挿通部７ａが端部７ｃ側（前傾扉３側）に偏った位置、即ち上下方向に非対照の位置にあるものとなっている。
【００３５】
これにより、消火栓装置１は、その使用方法によって、ホースガイド７をその上下を逆にして、図１に示すように、挿通部７ａを下方の前傾扉３寄りに位置させたり、図２に示すように、上方の筐体２寄りに位置させたりすることができ、例えば、消火用ホース４の引き出し時には、図１に示すように、挿通部７ａを下方に位置させて、消火用ホース４の重量を利用して、消火用ホース４を引き出し易くし、消火用ホース４の収納時には、図２に示すように、挿通部７ａを上方に位置させて、消火用ホース４の重量を利用して、消火用ホース４をホース収納部５内に落とし込むようにして、消火用ホース４をホース収納部５に収納し易くしたりすることができるものとなっている。
【００３６】
なお、ホースガイド７において、２本の連結体７ｅは、例えば、ネジ止め、フックによる係止、２本の接続体７ｄに設けた凹部への挿入などにより、２本の接続体７ｄに対して着脱可能に取り付けるように構成することで、何れも上下方向に移動可能にすることができる。これにより、一方の連結体７ｅのみを移動可能とした場合は、挿通部７ａの開度（内側面積）を変更可能とすることができ、例えば、挿通部７ａの開度を大きくすれば、消火用ホース４の点検に便利である。また、両方の連結体７ｅを移動可能とした場合は、挿通部７ａの開度を変更可能とすることができるのに加えて、その上下方向の位置を変更可能とすることができ、例えば、前記のように、ホースガイド７の上下を逆にしなくとも、消火用ホース４の引き出し時には、図１に示すように、挿通部７ａを下方に位置させて、消火用ホース４の重量を利用して、消火用ホース４を引き出し易くし、消火用ホース４の収納時には、図２に示すように、挿通部７ａを上方に位置させて、消火用ホース４の重量を利用して、消火用ホース４をホース収納部５内に落とし込むようにして、消火用ホース４をホース収納部５に収納し易くしたりすることができる。
【００３７】
図１及び図２に示した実施の形態は、ホースガイド７を金属製等の硬い部材により形成されたものとしているが、図３に示すように、ホースガイド７を柔軟な部材、例えば、シリコンゴム、ネオプレンゴム、ブチルゴム系、二トリルゴム系、ウレタンエラストマー、天然ゴム又はフッ素ゴムなどのゴム、或いはバネにより形成されたものとすることもできる。
【００３８】
ホースガイド７を柔軟な部材により形成したものとすることで、折り畳み機構がなくとも、折り畳み可能にすることができるし、また、ホースガイド７に当たる部分を支点として消火用ホース４が折れ曲がるような方向に引っ張られて、ホースガイド７に強く押し付けられたとしても、ホースガイド７が変形して、消火用ホース４が引っ張られる力を吸収し、消火用ホース４に加わる力を軽減することができ、そこで消火用ホース４が折れ曲がるのを防ぐようにすることができる。なお、ホースガイド７は、柔軟な部材と同様に変形可能な部材、例えば、複数のリングを繋ぎ合わせたチェーンのようなもので構成してもよい。また、ホースガイド７は、金属製などの堅い部材である場合には、柔軟な部材を被覆してもよい。
【００３９】
さらに、ホースガイド７の形状は、図１乃至３に示したような梯子状のものに限定されるわけではなく、例えば、図４の（ａ）又は（ｂ）に示すように、接続体７ｄを１本の棒状又は紐状体とし、その途中に環状又は渦巻状の挿通部７ａを有するものとしてもよい。この場合も、ホースガイド７は柔軟な部材によって形成されたものとすることができる。
【００４０】
また、ホースガイド７は、前傾扉３を開ける際に、折り畳まれて収納された状態から、伸ばされた状態になるときに、油圧ダンパーや板バネのようなバネ等による緩衝装置を備えゆっくり伸びる、あるいは柔軟な部材であるときは、その部材自身がゆっくりと伸びるものとすれば、従来、前傾扉３が急激に開かないように採用している油圧緩衝ダンパーの機能も兼ねることができる。
【符号の説明】
【００４１】
１：消火栓装置        ２：筐体              ２ａ：開口
２ｂ：前面            ３：前傾扉            ３ａ：内側
４：消火用ホース      ４ａ：ノズル          ５：ホース収納部
５ａ：開口部          ６：操作レバー        ７：ホースガイド
７ａ：挿通部          ７ｂ：端部            ７ｃ：端部
７ｄ：接続体          ７ｅ：連結体          ７ｆ：折り畳み機構部
【図１】
2011212074.tif 000003
【図２】
2011212074.tif 000004
【図３】
2011212074.tif 000005
【図４】
2011212074.tif 000006